(57)【要約】【課題】  ダイヤモンド、サファイヤ、ルビー、オパール、パール、および翡翠などの貴石を用いずに、貴石が用いられた場合に匹敵する美観や高級観を呈する時計用文字板を提供する。【解決手段】  時計用文字板であって、貴石以外の素材より成る装飾体と、この装飾体を文字板の視認面に固定するための、固定爪を含まない装飾体固定手段と、この装飾体近傍の文字板の視認面に装飾体を囲んで配置される、複数の疑似爪と、を含むことを特徴とする。装飾体近傍に、この装飾体を囲んで、複数の疑似爪が配置されるので、貴石ではない装飾体が、あたかも従来の固定爪によって文字板に固定された貴石に錯覚される。装飾体として、たとえば、装飾カットが施された金属部品が採用される。あるいは、装飾体として、クリスタルガラスより成る部品が採用される。【選択図】  図２
2008089533.tif 000002
【特許請求の範囲】
【請求項１】
時計用文字板であって、
貴石以外の素材より成る装飾体と、
この装飾体を文字板の視認面に固定するための、固定爪を含まない、装飾体固定手段と、この装飾体近傍の文字板の視認面に、装飾体を囲んで配置される、複数の疑似爪と、
を含む時計用文字板。
【請求項２】
請求項１に記載された時計用文字板であって、
装飾体が、光反射面を含む時計用文字板。
【請求項３】
請求項２に記載された時計用文字板であって、
装飾体が、複数の光反射面から成る多面形状を含む時計用文字板。
【請求項４】
請求項１から３のいずれかに記載された時計用文字板であって、
装飾体の視認面が、金属外観を呈する金属面より成る時計用文字板。
【請求項５】
請求項４に記載された時計用文字板であって、
装飾体が、金属より成る、装飾カット植字である時計用文字板。
【請求項６】
請求項１から３のいずれかに記載された時計用文字板であって、
装飾体の視認面が、ガラスより成る時計用文字板。
【請求項７】
請求項１から６のいずれかに記載された時計用文字板であって、
疑似爪が、文字板の視認面より上方に突出する凸部形状である時計用文字板。
【請求項８】
請求項７に記載された時計用文字板であって、
疑似爪が、文字板の視認面に貼着された、金属膜より成る電着画像部材である時計用文字板。
【請求項９】
請求項８に記載された時計用文字板であって、
疑似爪と共に文字板の視認面に貼着され、かつ金属膜より成る電着画像部材から構成される計測表示部材、商品識別部材、あるいは装飾用部材の少なくとも１つを含む時計用文字板。
【請求項１０】
請求項１から６のいずれかに記載された時計用文字板であって、
疑似爪が、文字板の視認面より下方に凹む凹部形状である時計用文字板。
【請求項１１】
請求項１から１０のいずれかに記載された時計用文字板であって、
疑似爪が、装飾体の四方に配置される時計用文字板。
【請求項１２】
請求項１から１１のいずれかに記載された時計用文字板であって、
文字板の視認面に形成され、文字板の視認面より下方に凹む載置凹部内に、装飾体が配置される時計用文字板。
【請求項１３】
請求項１２に記載された時計用文字板であって、
載置凹部が環状に形成される時計用文字板。
【請求項１４】
請求項１２に記載された時計用文字板であって、
載置凹部の底面が、光散乱面である時計用文字板。
【請求項１５】
請求項１２に記載された時計用文字板であって、
載置凹部内に疑似爪が配置される時計用文字板。
【請求項１６】
請求項１から１５のいずれかに記載された時計用文字板を備える時計。
【発明の詳細な説明】
【技術分野】
【０００１】
本発明は、時計用文字板、特に提げ時計や腕時計などの携帯時計に採用される、小型の文字板に関する。
【背景技術】
【０００２】
従来、装身具としての時計の美観や高級観を高めるために、時計用文字板には、様々な貴石が固定されてきた。ここで、貴石とは、宝飾業界で一般に６大宝石と呼ばれる、ダイヤモンド、サファイヤ、ルビー、オパール、パール、および翡翠の他、同じく宝飾業界で半貴石と呼ばれる、アメジスト、シトリン、トルマリン、トパーズ、およびアクアマリンなどの石を言う。
携帯時計においては、時計を落としたり、ぶつけたりするなどによって、時計そのものに外部衝撃が負荷されやすい。よって、これらの貴石は、そのような外部衝撃が負荷されても、文字板から脱落しないように、文字板に堅固に取り付けられることが望まれる。
このため、貴石を文字板の視認面、たとえば上面に固定する手段として、古くから図１３から１５に示される爪固定手段が採用されてきた。
【０００３】
これらの図によれば、この爪固定手段は、貴石を取り付けるための金属製台座５３を含む。この台座５３は、おおよそ直方体の外形を成し、上方に向けて開口した有底の箱体として図示される。
台座５３の内側の底面には、円錐状の凹部であるサライ穴５３ａが、下方に向けて穿設される。また、平面視で略矩形を成す、台座５３の上端面の四隅を残して、台座５３の上端部分は、平面方向に沿って十文字に切削される。結果として、台座５３の上端面の四隅に、貴石を固定するための４本の固定爪５４がそれぞれ形成される。
なお、本明細書において、上下とは、図１４における図面の上下方向に準じて定義される。従って、上面とは、腕時計を手首に装着した状態において、外方に露出する面であり、下面とは、同状態において手首と相対する面である。また、平面方向とは、上下方向に直交する方向であり、同じく図１４における左右方向に準ずる。
【０００４】
貴石は、次のように台座に固定される。
まず、貴石５２が台座５３の内部に挿入される。ここで、貴石５２の下端が、台座５３のサライ穴５３ａに挿入されて、貴石５２が台座５３に対して位置決めされる。
次いで、台座５３の上端部に配置された固定爪５４それぞれが、所定の工具によって、貴石５２に向けて倒される。よって、図１４に示されるように、４本の固定爪５４によって貴石５２が台座５３より抜脱できないようにカシメられる。
このとき、図示されるように、貴石５２は、固定爪５４より下方に位置して、台座５３内部に配置される。
【０００５】
このように貴石５２が取り付けられた台座５３は、次のように文字板５０の上面に固定される。
台座５３は、その下端部より、下方に向けて突出する固定用突起５３ｂを備える。この固定用突起５３ｂの下端、すなわち開放端には、この開放端を二股に分割するスリット５３ｃが形成される。
他方、文字板５０は、平面方向に延びる平板形状の基板５１を含む。この基板５１の所定の位置には、基板５１を上下に貫通する貫通孔５１ａが形成される。
台座５３が、基板５１の上面に配置される。このとき、この台座５３の固定用突起５３ｂが、基板５１の貫通孔５１ａに挿通される。固定用突起５３ｂの開放端部は、基板５１を貫通し、基板５１の下方に突出する。
ここで、図１４に示されるように、スリット５３ｃが平面方向に沿って拡開されるように、固定用突起５３ｂの開放端が、基板５１にカシメられる。
よって、貴石５２が取り付けられた台座５３が、文字板５０の上面に固定される。あらかじめ基板５１に台座５３を固定した後、貴石５２が、固定爪５４によって、台座５３に固定されてもよい。
【０００６】
このように台座５３を介して貴石５２が取り付けられた文字板５０における部分的な平面視は、図１５に示される。
すなわち、貴石５２は、その周囲を台座５３に囲まれて、この台座５３内に埋没したように視認される。さらに、貴石５２の近傍に、貴石５２を囲んで、固定爪５４が配置される。この固定爪５４は、貴石５２の四方に均等に割り振られて位置する。
貴石が固定された外観として、このような固定爪をともなう外観は、たとえば指輪やブレスレットにおいても、ありふれて見られるものであり、装身具においては、極めて見慣れた一般的な外観と言える。
【０００７】
しかしながら、この爪固定手段は、１つの貴石に対して４本の固定爪それぞれを曲げなければならない。よって、文字板に取り付ける貴石の数が増えれば増えるほど、固定爪を曲げる作業が煩雑になり、生産性が低下してしまう。
このため、昔から、この爪固定手段に代換でき得る、文字板への貴石の固定手段が模索されてきた（たとえば特許文献１参照）。ところが、様々な提案がなされたにもかかわらず、未だに実用化でき得る代換手段は確立されていない。
よって、現時点においても、文字板への貴石の取り付けには爪固定手段が採用されており、市場においても、貴石近傍には固定爪が常に存在することが認知されている。
【０００８】
【特許文献１】実開昭５８−１７７８８９号公報
【発明の開示】
【発明が解決しようとする課題】
【０００９】
このように、時計用文字板には、古くから貴石が取り付けられてきた。高価な貴石が文字板に取り付けられれば、文字板、ひいては時計そのものに美観や高級観が付与される。その反面、これら貴石により、文字板、ひいては時計そのものが高価になってしまう。
【００１０】
本発明の目的は、貴石を用いずに、貴石が用いられた場合に匹敵する美観や高級観を呈する時計用文字板を提供することにある。
【課題を解決するための手段】
【００１１】
本発明の時計用文字板は、
「貴石以外の素材より成る装飾体と、
この装飾体を文字板の視認面に固定するための、固定爪を含まない、装飾体固定手段と、この装飾体近傍の文字板の視認面に、装飾体を囲んで配置される、複数の疑似爪と、」
を含むことを特徴とする。
【００１２】
この明細書において、擬似爪とは、固定爪を含まないものとして定義される。また、この明細書において、文字板の視認面とは、風防を通して文字板を見る観察者、たとえば腕時計の携帯者から視認される文字板の面を言う。文字板の視認面とは、通常、文字板の上面と同義であるが、文字板が、透明、あるいは半透明の透光性材料を含む場合は、文字板における上面以外の部分も視認され得るので、この限りではない。
本発明の文字板においては、装飾体近傍に、この装飾体を囲んで、複数の疑似爪が配置される。よって、文字板の観察者は、疑似爪を、従来の爪固定手段における固定爪に錯覚する。すなわち、文字板の観察者は、装飾体が疑似爪によって文字板に固定されているか
のように視認する。
すると、貴石ではない装飾体も、あたかも固定爪によって文字板に固定された貴石に錯覚される。なぜならば、文字板の観察者は、固定爪によって文字板に固定された貴石を見慣れているためである。
このように、本来ならば、固定爪を用いることなく、装飾体固定手段によって文字板に固定される、装飾体の周囲に、あえて疑似爪を配置することにより、貴石ではない装飾体を貴石に見せることができる。これにより、たとえば安価な材料から構成される装飾体が採用されようとも、文字板に高級感のある美観が付与される。
【００１３】
また、本発明の時計用文字板は、
「装飾体が、光反射面を含む」ことが好ましい。
【００１４】
ここで光反射面とは、装飾体の外方から装飾体に入射する光、たとえば時計の風防を透過して入射する外光、時計に設けられた照明手段が発光する照明光、あるいは時計に設けられた夜光層の発光などを反射する面を言う。
この光反射面により、装飾体が輝いて見えるため、貴石ではない装飾体が、さらに貴石として視認されやすくなる。
光反射面は、鏡面であっても、梨地のような凹凸面であってもよいが、特に鏡面である場合は、反射面による反射光が増すため、貴石ではない装飾体が、さらに貴石として視認されやすくなる。
【００１５】
また、光反射面を含む装飾体は、
「複数の光反射面から成る多面形状を含む」ことが好ましい。
【００１６】
これにより、装飾体は、様々な角度に光を反射して輝くので、貴石ではない装飾体が、さらに貴石として視認されやすくなる。
【００１７】
また、本発明の時計用文字板は、
「装飾体の視認面が、金属外観を呈する金属面より成る」ものとすることができる。
【００１８】
ここで装飾体の視認面とは、風防を通して文字板を見る観察者、たとえば腕時計の携帯者から視認される装飾体の面を言う。
また、ここで金属面とは、金属外観を呈する面を意味し、素材が金属であることには限定されない。
よって、この装飾体は、たとえば、銅、黄銅、アルミニウム、マグネシウム、亜鉛、チタン、あるいはこれらの合金などから形成され得る。また、この装飾体は、たとえば、チタン合金、ステンレススチールから形成された部品でもよい。装飾体が金属材料から構成されれば、装飾体の視認面は、金属外観を呈する金属面となる。
この場合、金属より成る装飾体における、少なくとも視認面に、たとえば金色や銀色などの金属めっき被膜が被覆されてもよい。この被膜は、湿式めっき法、あるいは乾式めっき法によって被覆され得る。複数の光反射面から成る多面形状は、たとえば、ダイヤモンドバイトによる切削加工によって、反射率の高い鏡面として得られる。
あるいは、この装飾体は、非金属の基材の視認面に、乾式めっき法による金属めっき被膜、あるいはメタリック塗装被膜が被覆された部品であってもよい。この場合、非金属の基材としては、たとえば合成樹脂の基材が採用される。メタリック塗装被膜としては、たとえば、メタリック顔料が混入された塗装被膜が採用される。
たとえば、ステンレス色を得るためには、鉄、クロム、ニッケル、モリブデンなどを成分とするステンレス顔料が含有された塗装被膜が被覆される。
また、たとえば、金色を得るためには、銅、亜鉛、鉄などを成分とするブロンズ顔料が含有された塗装被膜が被覆される。
あるいは、たとえば、銀色を得るためには、アルミニウムを成分とするアルミニウム顔料、あるいはニッケルを成分とするニッケル顔料が含有された塗装被膜が被覆される。
これら以外にも、パール顔料や、グラファイト顔料、フタロシャニンフレークなど、様々な顔料が採用されても良い。
複数の光反射面から成る多面形状は、たとえば、合成樹脂で多面形状に成形された基材に、上述の乾式めっき法による金属めっき被膜、あるいはメタリック塗装被膜が被覆されて得られる。
このようにすれば、非金属の基材から成る装飾体の視認面が、金属外観を呈する金属面となる。
【００１９】
視認面が金属より成る装飾体が採用される場合、
「装飾体が、金属より成る、装飾カット植字」であってもよい。
【００２０】
複数の光反射面から成る多面形状を含むように、装飾カットされた金属部品としては、時刻表示部材、詳しくは時刻指標である装飾カット植字が知られている。本発明の文字板は、これを貴石に錯覚させる装飾体として用いることができる。
これにより、従来、時刻指標として用いられた、安価な装飾カット植字を利用して、貴石が用いられた場合に匹敵する美観や高級観を、文字板に付与することができる。
【００２１】
また、本発明の時計用文字板は、
「装飾体の視認面がガラスより成る」ものとすることができる。
【００２２】
装飾体は、ガラスより成る部品であってもよい。ガラスとしては、どのようなガラスが採用されてもよい。特に酸化鉛が添加されたクリスタルガラスは、透明度や光の屈折率が高いため、貴石ではない装飾体が、ダイヤモンドに錯覚されやすいので好ましい。
複数の光反射面から成る多面形状は、たとえばガラスの切削や研磨加工によって得られる。
【００２３】
また、本発明の時計用文字板は、
「疑似爪が、文字板の視認面より上方に突出する凸部形状である」ことが好ましい。
【００２４】
疑似爪が、従来の爪固定手段における固定爪と同様に、上方に突出する凸部形状であれば、この擬似爪は、さらに固定爪に錯覚されやすくなる。
このような凸部形状の擬似爪は、たとえば文字板にプレス加工、エンボス加工、あるいは電鋳加工を施すことによって、文字板と一体に形成され得る。
また、このような凸部形状の擬似爪は、たとえば、別体の部品が文字板に視認面に取り付けられて形成されてもよい。この場合、別体の擬似爪は、たとえば接着層や粘着層などの接合層を介して、文字板の視認面に接合され得る。
この別体の擬似爪は、金属部品、特に鏡面を備える金属部品であることが好ましい。すると、疑似爪の外観が、従来の爪固定手段における金属製固定爪と似るので、貴石ではない装飾体が、さらに貴石として視認されやすくなる。
加えて、擬似爪の鏡面が輝いて、貴石ではない装飾体の不足しがちな輝きを補う。よって、装飾体が、さらに貴石として錯覚されやすくなる。
【００２５】
この凸部形状の擬似爪は、
「文字板の視認面に貼着された、金属膜より成る電着画像部材」とすることができる。
【００２６】
このような金属膜より成る電着画像部材の一例として、特開平３−１０７４９６号公報に記載される電着画像部材が知られている。また、このような電着画像部材は、すでに文字板において時字などの時刻指標として貼着されている。
本発明は、この電着画像部材を、時刻指標としてではなく、擬似爪として文字板に貼着することに特徴がある。
また、上記公報に記載されたように、この電着画像部材を採用すれば、複数の擬似爪が粘着層を介して一度に文字板に貼着されるので、極めて高い生産性が得られる。
また、電着画像部材は、鏡面であることが好ましい。すると、擬似爪の鏡面が輝いて、貴石ではない装飾体の不足しがちな輝きを補う。よって、貴石ではない装飾体が、さらに貴石として視認されやすくなる。
【００２７】
また、このような電着画像部材が擬似爪に採用された場合、本発明の文字板は、
「疑似爪と共に文字板の視認面に貼着され、かつ金属膜より成る電着画像部材から構成される計測表示部材、商品識別部材、あるいは装飾用部材の少なくとも１つを含む」ことができる。
【００２８】
ここで計測表示部材とは、時計が計測した計測値を、観察者が視認できる形態で表示する部材であって、たとえば、時刻指標、日付表示部材、曜日表示部材、月表示部材、年表示部材、電池の残量表示部材、圧力や温度などの外環境測定値の表示部材、アンテナの受信感度表示部材、アンテナにおける受信の成否の表示部材などが挙げられる。
また、商品識別部材とは、メーカー名、ブランド名、あるいはペットネームなどを表す文字、マーク、記号、エンブレムなどを表示する部材を言う。
また、装飾用部材としては、文字板を装飾するための様々な図形を表す部材を言う。
金属膜より成る電着画像部材から構成される計測表示部材、商品識別部材、あるいは装飾用部材の少なくとも１つが、同一の貼着工程で擬似爪と共に文字板に貼着されれば、極めて高い生産性が得られる。
【００２９】
また、本発明の時計用文字板は、
「文字板の視認面より下方に凹む凹部形状である」疑似爪が採用されてもよい。
【００３０】
疑似爪は、凹部形状であっても、装飾体を囲むように装飾体近傍に形成されれば、従来の爪固定手段における固定爪に錯覚される。凹部形状の擬似爪は、凸部形状のそれより、容易に形成され得る利点がある。
このような凹部形状の擬似爪は、たとえば文字板にプレス加工を施すことによって、形成される。あるいは文字板にポンチなどの工具を用いて、極めて容易に凹設される。これにより、擬似爪の形成に極めて高い生産性が得られる。
【００３１】
また、本発明の時計用文字板は、
「疑似爪が、装飾体の四方に配置される」ことが好ましい。
【００３２】
このように、従来の爪固定手段における固定爪を同じ位置に疑似爪が配置されれば、擬似爪が従来の固定爪にさらに錯覚されやすくなる。
【００３３】
さらに、本発明の時計用文字板は、
「文字板の視認面に形成され、文字板の視認面より下方に凹む載置凹部内に、装飾体が配置される」ことが好ましい。
【００３４】
このようにすると、装飾体を囲む載置凹部が、あたかも従来の爪固定手段における、貴石を囲む台座に錯覚される。よって、貴石ではない装飾体が、さらに貴石として視認されやすくなる。
この載置凹部は、たとえば、それぞれの装飾体に対して一対一対応で形成され得る。
【００３５】
このように載置凹部が採用される場合、
「載置凹部が環状に形成される」ことが好ましい。
【００３６】
すると、それぞれの装飾体に対して一対一対応で形成される、複数の載置凹部を、１つの連続した載置凹部に代換することができる。特に、この載置凹部が環状である場合は、この凹部を形成する加工が容易になるので好ましい。
この環状の載置凹部内には、たとえば複数の装飾体が並べて配置され得る。
【００３７】
また、この場合、
「載置凹部の底面が、光散乱面である」ことが好ましい。
【００３８】
すると、光散乱面が外光を散乱反射して輝くので、貴石ではない装飾体の不足しがちな輝きを補う。よって、貴石ではない装飾体が、さらに貴石として視認されやすくなる。
なお、ここで底面とは、載置凹部内の上方を向く面であり、上面に換言され得る。
この光散乱面は、たとえば、載置凹部の底面に形成された、多数の微細な凹凸が連続した面とすることができる。このような面として、たとえば梨地、あるいは砂地と呼称される面が採用される。すると、これら微細な凹凸が、外光や照明光などを散乱反射させる。
光散乱面には、たとえば金色色調、あるいは銀色色調を呈する金属めっき被膜、あるいは塗装被膜が被覆されてもよい。すると、さらに光散乱面の反射率が高くなるので、この光散乱面の輝きが増す。よって、貴石ではない装飾体が、さらに貴石として視認されやすくなる。
【００３９】
また、載置凹部が採用される場合、
「載置凹部内に疑似爪が配置される」ことが好ましい。
【００４０】
すると、装飾体を囲む載置凹部が、あたかも従来の爪固定手段における、貴石を囲む台座に錯覚されると共に、疑似爪が、台座に付随した固定爪に錯覚される。
よって、貴石ではない装飾体が、さらに貴石として視認されやすくなる。
【００４１】
また、本発明は、上述した文字板が採用された時計を提供する。
【発明の効果】
【００４２】
本発明によれば、貴石を用いずに、貴石が用いられた場合に匹敵する美観や高級観を呈する時計用文字板が提供される。
また、本発明によれば、このような時計用文字板を備える時計が提供される。
【発明を実施するための最良の形態】
【００４３】
以下、本発明の実施形態が図面に基づいて説明される。なお、前述の従来技術と同じ部品には同じ番号を付することで、それらの部品への説明が省略される。また、本発明は、以下の実施形態に何ら限定されるものではない。
【００４４】
（第１実施形態）
図１は本発明における第１実施形態に係る腕時計の平面図、
図２は本発明における第１実施形態に係る文字板の部分斜視図、
図３は本発明における第１実施形態に係る文字板の部分断面図、
図４は本発明における第１実施形態に係る文字板の部平面図である。
【００４５】
この実施形態は、腕時計用文字板として実施される。
腕時計１は、一対のバンド２が連結されたケース３を含む。ケース３内部には、時刻表示部を構成する２本の指針４と、平面視で円板形状を成す文字板５が配置される。
文字板５の視認面である上面には、１時から１２時までの時刻指標を兼ねて、１２個の
装飾体７が配置される。装飾体７は、文字板５と同心の環状を成すように、文字板５の外周寄りに連続して配置される。
この装飾体７それぞれの近傍に位置して、かつ装飾体７を囲んで、４本の疑似爪８が配置される。
【００４６】
詳しくは、文字板５は、平面方向に延びる平板形状の基板６を含む。
基板６の材質は、特に限定されない。たとえば、基板６は、導電性材料から形成されることができる。この場合、基板６の材質としては、金、銀、銅、黄銅、アルミニウム、マグネシウム、亜鉛、チタン、あるいはこれらの合金などが採用される。また、たとえば、チタン合金、ステンレススチール、タンタルカーバイドなどが採用されてもよい。
あるいは、基板６は、非導電性材料から形成されることができる。この場合、基板６の材質としては、ポリカーボネイト、アクリル、ポリアセタール、ＡＢＳ、ポリエチレン、ポリプロピレン、ポリスチレン、ポリエチレンテレフタレートなどの合成樹脂を用いることができる。
また、あるいは、基板６の材質として、ゴム、セラミック、紙、繊維体、不織布、織布などが採用されてもよい。セラミックとしては、ガラス、あるいは七宝などの陶材、あるいは、貝、貴石、琥珀などが採用されてもかまわない。
この腕時計１が、文字板５の下方にソーラー発電装置を備える場合、文字板５の基板６の少なくとも一部は、上記した非導電性材料から構成されることが好ましく、その結果として、文字板５は、少なくともソーラー発電に必要とされるだけの外光を透過する光透過型であることが好ましい。
また、この基板６の上面に、様々な印刷被膜、塗装被膜、湿式めっき被膜、乾式めっき被膜、あるいはこれら多層被膜や組み合わせが被覆されることを、本発明は排除しない。
【００４７】
図２に示されるように、基板６の上面に、貴石以外の素材、詳しくはステンレススチールから形成された、装飾体７が配置される。装飾体７は、円形の底面が基板６の上面と平行に対向する円柱形状を成す。
ステンレススチールより成る装飾体７の視認面、すなわち、上面と側面は、金属外観を呈する金属面、詳しくはステンレススチールが呈する金白色色調の金属面を成す。この装飾体７の金属面は、平滑な鏡面に形成され、外光や照明光などを反射させる光反射面を構成する。
特に、この装飾体７の上端部には、装飾体７が成す円柱の中心に向けて、上方に傾きをもったＶ字型の装飾溝７ａが複数形成された、貴石に見るような装飾カットが施される。よって、装飾体７の上端部には、複数の光反射面が連続した多面形状を成す多面形状部７ｂに構成される。
【００４８】
装飾体７は、次のように基板６の上面に固定される。
装飾体７の下端部から、下方に向けて固定用突起７ｃが延出する。この固定用突起７ｃの下端、すなわち開放端には、この開放端を二股に分割するスリット７ｄが形成される。
他方、基板６の所定の位置には、基板６を上下に貫通する貫通孔６ａが形成される。
装飾体７の固定用突起７ｃが、基板６の貫通孔６ａに挿通される。固定用突起７ｃのスリット７ｄが平面方向に沿って拡開されるように、固定用突起７ｃの開放端が、基板６にカシメられる。これが、装飾体７を基板６の視認面に固定するための、従来の固定爪を含まない、装飾体固定手段を構成する。
装飾体固定手段として、溶接、ロー付け、あるいは接着などの固定手段が採用されてもよい。すなわち、スリット７ｄが排除された固定用突起７ｃの開放端が、基板６の下面に対して、溶接、ロー付け、あるいは接着などによって固定されてもよい。
この実施形態では、このような装飾体７として、装飾カット植字が採用される。
【００４９】
４本の金属製の疑似爪８が、装飾体７の四方に均等に割り振られて位置するように、基
板６の視認面に固定される。
疑似爪８それぞれは、円形の底面が基板６の視認面と平行に対向する円柱形状を成す。疑似爪８の上端部の側面は、円柱の中心に向けて円弧を描くように丸みを帯びる。これら疑似爪８それぞれの視認面、すなわち上面と側面とは、鏡面に形成されて、外光や照明光などを反射させる光反射面を構成する。疑似爪８それぞれは、基板６の視認面より上方に突出する凸部形状を成す、装飾体７より小さい金属部品であることが、図からも理解される。
疑似爪８それぞれの下面には、基板６の上面と対向するように、接合層の一例として粘着層８ａが配置される。この粘着層８ａを介して、疑似爪８それぞれが、基板６の上面に貼着される。この接合層は、接着層に代換され得る。
この実施形態では、このような疑似爪８として、金属膜より成る電着画像部材が採用される。図１に示されるように、文字板５は、１２個の装飾体７と４８個の疑似爪８とを備える。これら４８個の疑似爪８は、単一の貼着作業によって、すべて一度に基板６上に貼着され得る。
【００５０】
また、文字板５は、基板６の上面に固定された装飾用部材である装飾リング９を含む。
装飾リング９は、円形の文字板５と同心の環状を成すように、環状に並ぶ装飾体７の内側に配置される。この実施形態では、装飾リング９として、金属膜より成る電着画像部材が採用される。装飾リング９の下面に配置された、接合層の一例としての粘着層９ａを介して、装飾リング９が、基板６の上面に貼着される。この接合層は、接着層に代換され得る。
【００５１】
このようにして得られた文字板５においては、文字板５の観察者は、疑似爪８を、従来の爪固定手段における固定爪に錯覚する。すなわち、文字板５の観察者は、貴石ではない装飾体７が、あたかも固定爪によって文字板５に固定された貴石に錯覚する。
特に、装飾体７の視認面が、鏡面から成る光反射面とされたので、装飾体７が輝いて見える。さらに、装飾体７の上端部に、複数の光反射面が連続した多面形状を成す多面形状部７ｂが形成されたので、装飾体７は、様々な角度に光を反射して輝く。よって、貴石ではない装飾体７が、さらに貴石として視認されやすくなる。
また、このような装飾体７として、時刻指標として用いられた、安価な装飾カット植字が採用されたので、貴石が用いられた場合に匹敵する美観や高級観が、文字板５に極めて安価に付与される。
【００５２】
他方、疑似爪８が、文字板の視認面より上方に突出する凸部形状を成す金属部品、特にその視認面が鏡面とされた金属部品とされたため、疑似爪８の外観が、従来の爪固定手段における金属製固定爪と極めて似る。よって、文字板５の観察者は、疑似爪８を、従来の爪固定手段における固定爪に極めて錯覚しやすい。
さらに、疑似爪８の鏡面が輝いて、貴石ではない装飾体７の不足しがちな輝きを補うので、装飾体７が、さらに貴石として錯覚されやすくなる。
【００５３】
（第２実施形態）
図５は、本発明における第２実施形態に係る文字板の部分斜視図である。
この第２実施形態における文字板１０は、時刻指標として時字１１を備える点においてのみ、実施形態と異なる。よって、前述の第１実施形態と同じ部品には同じ番号を付することで、それらの部品への説明が省略される。
【００５４】
文字板１０は、基板６を含む。第１実施形態と同様に、基板６の上面には、装飾体７、疑似爪８、装飾リング９がそれぞれ載置される。疑似爪８は、第１実施形態と同様に、電着画像部材から構成され、図５においては図示されない粘着層を介して、基板６の上面に貼着される。同じく、装飾リング９も、第１実施形態と同様に、電着画像部材から構成さ
れ、図５においては図示されない粘着層を介して、基板６の上面に貼着される。
【００５５】
そして、基板６の外周寄りに、疑似爪８に囲まれた装飾体７に隣接して、時刻指標として時字１１が配置される。この時字１１は、金属膜より成る電着画像部材がローマ数字を表す金属部材を構成する。図５においては図示されないが、時字１１におけるローマ数字を表す金属部品の下面には、基板６の上面と対向するように、接合層の一例として粘着層が配置される。この粘着層を介して、時字１１におけるローマ数字を表す金属部品が、基板６の上面に貼着される。この接合層は、たとえば接着層に代換され得る。
【００５６】
この実施形態では、時刻指標として時字１１、および装飾用部材である装飾リング９とが、疑似爪８と共に、単一の貼着作業によって、すべて一度に基板６上に貼着される。これにより、文字板１０の製造に、極めて高い生産性が得られる。
時字１１以外の計測表示部材、装飾リング９以外の装飾用部材、あるいは商品識別部材が、疑似爪８と共に同時に基板６上に貼着されてもよい。
【００５７】
（第３実施形態）
図６は本発明における第３実施形態に係る文字板の部分斜視図、
図７は本発明における第３実施形態に係る文字板の部分断面図である。
前述の第１実施形態と同じ部品には同じ番号を付することで、それらの部品への説明が省略される。
【００５８】
文字板１２は、第１実施形態と同様の基板１３を含む。
基板１３の上面には、複数の載置凹部１６が凹設される。載置凹部１６は、円形の基板１３と同心の環状を成すように、基板１３の外周寄りに、所定の間隔を開けて連続して配置される。
図より理解されるように、載置凹部１６は、文字板１２の視認面、すなわち、この実施形態では基板１３の上面から、下方に向けて凹む。載置凹部１６は、平面視で略円形を成すように形成される。
【００５９】
この載置凹部１６の底面、すなわち載置凹部１６の上面より、上方に向けて疑似爪１５が、基板１３と一体に凸設される。疑似爪１５は、第１実施形態と同様に、平面視で円形を成し、かつ開放端が丸みを帯びた円柱形状に構成される。
４本の疑似爪１５が、載置凹部１６内部における外周縁よりに、均等に分散されて配置される。
【００６０】
また、載置凹部１６の底面における中央部分、および凸設された疑似爪１５以外の表面は、微細な凹凸を含む砂地面より成る光散乱面１６ａに構成される。この光散乱面１６ａは、載置凹部１６内部の内側面まで及んでもかまわない。
基板１３に対して、たとえばプレス加工を施すことにより、載置凹部１６、光散乱面１６ａ、および疑似爪１５が一度に形成され得る。
【００６１】
他方、非導電材料、たとえば合成樹脂などの非金属から成る基材１４ｃが用意される。この基材１４ｃにメタリック塗装被膜１４ｄが被覆されて、装飾体１４が構成される。この装飾体１４の視認面は、メタリック塗装被膜１４ｄにより、金属外観を呈する金属面、詳しくは鏡面から成る光反射面とされる。
装飾体１４は、第１実施形態と同様に、円形の底面が基板１３の上面と平行に対向する円柱形状を成す。装飾体１４の上端部には、装飾体１４が成す円柱の中心に向けて、上方に傾きをもったＶ字型の装飾溝１４ａが複数形成された、貴石に見るような装飾カットが施される。よって、装飾体１４の上端部には、メタリック塗装被膜１４ｄにより、複数の光反射面が連続した多面形状を成す多面形状部１４ｂに構成される。
【００６２】
この装飾体１４の下面には、基板１３の上面と対向するように、接合層の一例として粘着層１４ｅが配置される。この粘着層１４ｅを介して、装飾体１４が、載置凹部１６の底面における中央部分に貼着される。この接合層は、接着層に代換され得る。接合層は、装飾体１４を基板１３の視認面に固定するための、従来の固定爪を含まない、装飾体固定手段を構成する。
結果として、載置凹部１６内部において、装飾体１４それぞれの近傍に位置して、かつ装飾体１４を囲んで、４本の金属製の疑似爪１５が配置される。４本の疑似爪１５は、装飾体１４の四方に均等に割り振られて位置する。
また、図より、載置凹部１６は、それぞれの装飾体１４に対して一対一対応で１つずつ形成されることが理解される。
文字板１２は、さらに第１実施形態と同様に、粘着層９ａを介して基板１３の上面に貼着された装飾リング９を含む。
【００６３】
このようにして得られた文字板１２においては、金属外観を呈する金属面を備える装飾体１４が、非金属の基材から安価に作成される。
また、文字板１２の観察者は、基板１３と一体に凸設された疑似爪１５を、従来の爪固定手段における固定爪に錯覚する。すなわち、文字板１２の観察者は、貴石ではない装飾体１４が、あたかも固定爪によって文字板１２に固定された貴石に錯覚する。
【００６４】
また、載置凹部１６内に疑似爪１５が配置されるので、装飾体１４を囲む載置凹部１６が、あたかも従来の爪固定手段における、貴石を囲む台座に錯覚される。さらに、疑似爪１５が、台座に付随した固定爪に錯覚される。よって、貴石ではない装飾体１４が、貴石として視認されやすくなる。
さらに、載置凹部１６の底面である光散乱面１６ａが、外光や照明光を散乱反射して輝いくので、貴石ではない装飾体１４の不足しがちな輝きを補う。よって、貴石ではない装飾体１４が、さらに貴石として視認されやすくなる。
【００６５】
（第４実施形態）
図８は本発明における第４実施形態に係る文字板の部分斜視図、
図９は本発明における第４実施形態に係る文字板の部分断面図、
図１０は本発明における第４実施形態に係る文字板の部平面図である。
前述の実施形態と同じ部品には同じ番号を付することで、それらの部品への説明が省略される。
【００６６】
文字板１７は、第１実施形態と同様の基板１８を含む。
基板１８の上面には、環状の載置凹部２０が凹設される。載置凹部２０は、円形の基板１８と同心の環状を成すように、基板１８の外周寄りに配置される。
載置凹部２０は、文字板１７の視認面、すなわち、この実施形態では基板１８の上面から、下方に向けて凹む。載置凹部２０の底面の表面は、微細な凹凸を含む梨地面より成る光散乱面２０ａに構成される。この光散乱面２０ａは、載置凹部２０内部の内側面まで及んでもかまわない。
【００６７】
この載置凹部２０内に、第１実施形態と同様の装飾体７が、間隔を開けて、連続して配置される。装飾体７の上端部は、Ｖ字型の装飾溝が複数形成された、貴石に見るような装飾カットが施され、複数の光反射面が連続した多面形状を成す多面形状部７ｂに構成される。
装飾体７は、第１実施形態と同じ装飾体固定手段で、基板１８に固定される。
すなわち、装飾体７の下端部から延出する固定用突起７ｃが、基板１８の所定の位置に穿設された貫通孔１８ａに挿通される。固定用突起７ｃの開放端が基板１８にカシメられ
る。
この実施形態では、このような装飾体７として、装飾カット植字が採用される。
【００６８】
載置凹部２０内に取り付けられた装飾体７それぞれの近傍に位置して、かつ装飾体７を囲んで、４個の疑似爪１９が配置される。疑似爪１９は、文字板１７の視認面、この実施形態では基板１８の上面より下方に凹む凹部形状を成す。疑似爪１９は、平面視で略円形を成す底面を備える有底の孔として凹設される。これら疑似爪１９は、装飾体７の四方に均等に割り振られて位置する。
疑似爪１９は、基板１８にポンチなどの工具を用いて、極めて容易に形成される。あるいは、基板１８に対して、たとえばプレス加工を施すことにより、環状の載置凹部２０、光散乱面２０ａ、および凹部形状の疑似爪１９が一度に形成されてもよい。
文字板１７は、さらに第１実施形態と同様に、粘着層９ａを介して基板１８の上面に貼着された装飾リング９を含む。
【００６９】
このようにして得られた文字板１７においては、第３実施形態が採用した複数の載置凹部が、複数の装飾体１４が取り付けられる、環状に形成された１つの載置凹部２０に代換される。よって、第３実施形態に比べて、載置凹部の加工が容易になるばかりか、載置凹部２０における光散乱面２０ａの面積も増えるので、装飾体７周囲における輝きが増す。
また、疑似爪１９が、凹部形状であっても、装飾体７を囲むように、装飾体７の近傍に形成されれば、従来の爪固定手段における固定爪に錯覚される。特に、図４と１０の比較から理解され得るように、平面視においては、凸状形状の疑似爪８も凹部形状の疑似爪１９も、それらの平面方向の断面形状が反映した円として共に視認されるので、凹部形状の疑似爪１９であっても固定爪に錯覚され得ることが理解される。
よって、文字板１７の観察者は、貴石ではない装飾体７を、貴石として錯覚する。
このような凹部形状の擬似爪１９は、凸部形状のそれより、容易に形成され得る。
【００７０】
（第５実施形態）
図１１は本発明における第５実施形態に係る文字板の部分断面図、
図１２は本発明における第５実施形態に係る文字板の部平面図である。
前述の実施形態と同じ部品には同じ番号を付することで、それらの部品への説明が省略される。
【００７１】
文字板２１は、第４実施形態と同様の基板１８を含む。
基板１８の上面には、第４実施形態と同様の環状の載置凹部２０が凹設される。載置凹部２０の底面の表面は、第４実施形態と同様の光散乱面２０ａに構成される。
【００７２】
また、視認面がガラスより成る装飾体２２が用意される。詳しくは、装飾体２２は、クリスタルガラスより成る。装飾体２２の外面には、貴石に見られるような装飾カットが施され、複数の光反射面から成る多面形状とされる。結果として、装飾体２２は疑似貴石の外観を呈する。
装飾体２２は、次のような装飾体固定手段で、基板１８に固定される。
【００７３】
基板１８における載置凹部２０の底面に、所定の間隔を置いて、下方に向けて穿設されたサライ穴２５が形成される。サライ穴２５は、頂点を下方に向けた円錐状の有底孔として形成される。
上下方向に貫通した環状の金属部品である載置台２３が、載置凹部２０の底面に配置される。載置台２３は、金属膜より成る電着画像部材より構成される。載置台２３それぞれの下面には、基板１８の上面と対向するように、接合層の一例として粘着層２３ａが配置される。この粘着層２３ａを介して、載置台２３それぞれが、基板１８の上面に貼着される。この接合層は、接着層に代換され得る。
環状の載置台２３の内側にサライ穴２５を臨むように、載置台２３は貼着される。
【００７４】
次いで、基板１８に取り付けられた環状の載置台２３内側に接着剤が充填され、載置台２３内側に、接合層の一例である接着層２４が形成される。この接着層２４を介して、装飾体２２が、載置台２３内側に固定される。たとえば、接着層２４は、粘着層に代換され得る。
このとき、装飾体２２の下端部は、サライ穴２５内に挿入される。これにより、装飾体２２は、載置台２３、および基板１８との相対的な位置が決定される。しかしながら、サライ穴２５が排除されてもかまわない。
【００７５】
載置凹部２０内に取り付けられた装飾体２２それぞれの近傍に位置して、かつ装飾体２２を囲んで、第４実施形態と同様の４個の疑似爪１９が配置される。疑似爪１９は、基板１８の上面より下方に凹む凹部形状を成す有底の孔として凹設される。これら疑似爪１９は、装飾体２２の四方に均等に割り振られて位置する。
文字板２１は、さらに第１実施形態と同様に、粘着層９ａを介して基板１８の上面に貼着された装飾リング９を含む。
【００７６】
このようにして得られた文字板２１においては、載置台２３が、あたかも従来の爪固定手段における、貴石を囲む台座に錯覚される。さらに、疑似爪１９が、台座に付随した固定爪に錯覚される。
よって、貴石ではない装飾体２２が、貴石として視認されやすくなる。
【００７７】
以上の実施形態は、本発明を説明するための一例にすぎない。
たとえば、固定爪を含まない装飾体固定手段には、実施形態に記載できなかった様々な手段があることは、当業者であれば当然理解される。また、たとえば、疑似爪と基板との固定手段、あるいは疑似爪の形成手段などについては、本発明を逸脱しない範囲で、当業者であれば適宜変更可能である。また、たとえば、例示した各部品の相対的な位置関係なども、当業者であれば適宜変更可能である。
また、本発明は、部品それぞれの機能が達成されれば、部品それぞれの材質や形状をなんら限定しない。
【産業上の利用可能性】
【００７８】
本発明における時計用文字板は、腕時計に採用されれば、前述された顕著な効果を発揮する。しかしながら、本発明における時計用文字板は、腕時計のみならず、提げ時計などの携帯時計、置き時計、あるいは掛け時計にも採用され得る。
また、本発明は、計測機器一般における表示板にも採用され得る。
【図面の簡単な説明】
【００７９】
【図１】本発明における第１実施形態に係る腕時計の平面図である。
【図２】本発明における第１実施形態に係る文字板の部分斜視図である。
【図３】本発明における第１実施形態に係る文字板の部分断面図である。
【図４】本発明における第１実施形態に係る文字板の部平面図である。
【図５】本発明における第２実施形態に係る文字板の部分斜視図である。
【図６】本発明における第３実施形態に係る文字板の部分斜視図である。
【図７】本発明における第３実施形態に係る文字板の部分断面図である。
【図８】本発明における第４実施形態に係る文字板の部分斜視図である。
【図９】本発明における第４実施形態に係る文字板の部分断面図である。
【図１０】本発明における第４実施形態に係る文字板の部平面図である。
【図１１】本発明における第５実施形態に係る文字板の部分断面図である。
【図１２】本発明における第５実施形態に係る文字板の部平面図である。
【図１３】従来の貴石を固定するための台座の斜視図である。
【図１４】従来の文字板の部分断面図である。
【図１５】従来の文字板の部分平面図である。
【符号の説明】
【００８０】
１      腕時計
２      バンド
３      ケース
４      指針
５      文字板
６      基板
７      装飾体
７ａ    装飾溝
７ｂ    多面形状部
７ｃ    固定用突起
７ｄ    スリット
８      疑似爪
８ａ    粘着層
９      装飾リング
１０    文字板
１１    時字
１２    文字板
１３    基板
１４    装飾体
１４ａ  装飾溝
１４ｂ  多面形状部
１４ｃ  基材
１４ｄ  メタリック塗装被膜
１４ｅ  粘着層
１５    疑似爪
１６    載置凹部
１６ａ  光散乱面
１７    文字板
１８    基板
１８ａ  貫通孔
１９    疑似爪
２０    載置凹部
２０ａ  光散乱面
２１    文字板
２２    装飾体
２３    載置台
２３ａ  粘着層
２４    接着層
２５    サライ穴
５０    文字板
５１    基板
５２    貴石
５３    台座
５３ａ  サライ穴
５３ｂ  固定用突起
５３ｃ  スリット
５４    固定爪
【図１】
2008089533.tif 000003
【図２】
2008089533.tif 000004
【図３】
2008089533.tif 000005
【図４】
2008089533.tif 000006
【図５】
2008089533.tif 000007
【図６】
2008089533.tif 000008
【図７】
2008089533.tif 000009
【図８】
2008089533.tif 000010
【図９】
2008089533.tif 000011
【図１０】
2008089533.tif 000012
【図１１】
2008089533.tif 000013
【図１２】
2008089533.tif 000014
【図１３】
2008089533.tif 000015
【図１４】
2008089533.tif 000016
【図１５】
2008089533.tif 000017